(57)【要約】  空気状態制御装置（３０）は、空気の状態を変更することができる複数の空気状態変更装置の各々が居室空間において配置されている位置を示す位置情報と、複数の空気状態変更装置の各々が複数の場所の各々に与える空気の状態についての影響度であって運転状態毎の影響度を示す影響度情報と、複数の空気状態変更装置の各々の運転状態を示す運転状態情報とをもとに、居室空間における複数の制御地点の各々について、複数の空気状態変更装置による空気の状態についての影響度であって複数の空気状態変更装置を制御するための制御用影響度を算出する算出部（３３）と、複数の制御地点のうちの制御用影響度が相対的に小さい制御地点の制御用影響度が大きくなるように複数の空気状態変更装置を制御する制御部（３４）とを有する。
2020178912.tif 000002
【特許請求の範囲】
【請求項１】
空気の状態を変更することができる複数の空気状態変更装置の各々が居室空間において配置されている位置を示す位置情報と、前記複数の空気状態変更装置の各々が複数の場所の各々に与える空気の状態についての影響度であって運転状態毎の影響度を示す影響度情報と、前記複数の空気状態変更装置の各々の運転状態を示す運転状態情報とを記憶する記憶部と、
（１）前記居室空間が同じ大きさの領域複数個に分割された場合の複数の領域の各々について、前記記憶部が記憶している前記位置情報、前記影響度情報及び前記運転状態情報をもとに、前記複数の空気状態変更装置による空気の状態についての影響度である総合影響度を算出し、（２）前記居室空間における複数の制御地点の各々について、前記複数の領域の各々について算出された前記総合影響度をもとに、前記複数の空気状態変更装置による空気の状態についての影響度であって前記複数の空気状態変更装置を制御するための制御用影響度を算出する算出部と、
前記複数の制御地点のうちの前記算出部によって算出された前記制御用影響度が相対的に小さい制御地点の前記制御用影響度が大きくなるように前記複数の空気状態変更装置を制御する制御部と
を備える空気状態制御装置。
【請求項２】
前記記憶部は、ユーザが入力する情報を受け付ける受付装置に入力された情報をもとに前記位置情報を記憶する、又は、前記居室空間の画像を取得する画像取得器によって取得された画像をもとに算出された前記位置情報を記憶する
請求項１に記載の空気状態制御装置。
【請求項３】
前記記憶部は、ユーザが入力する情報を受け付ける受付装置に入力された情報をもとに、前記影響度情報及び前記運転状態情報を記憶する
請求項１又は２に記載の空気状態制御装置。
【請求項４】
前記記憶部は、前記居室空間を形成している区画部についての情報である区画部情報を更に記憶し、
前記算出部は、前記記憶部が記憶している前記区画部情報を用いて前記総合影響度を補正し、補正後の総合影響度をもとに前記制御用影響度を算出する
請求項１から３のいずれか１項に記載の空気状態制御装置。
【請求項５】
前記算出部は、前記居室空間の内部の環境情報と前記居室空間の外部の環境情報とを用いて前記総合影響度を補正し、補正後の総合影響度をもとに前記制御用影響度を算出する
請求項１から４のいずれか１項に記載の空気状態制御装置。
【請求項６】
前記記憶部は、前記複数の制御地点の一部について空気の状態の制御が決定される際に用いられる優先度を示す優先度情報と、複数の優先度の各々についての補正値を示す補正値情報とを更に記憶し、
前記算出部は、前記記憶部が記憶している前記優先度情報及び補正値情報を用いて前記総合影響度を補正し、補正後の総合影響度をもとに前記制御用影響度を算出する
請求項１から５のいずれか１項に記載の空気状態制御装置。
【請求項７】
前記記憶部は、ユーザが入力する情報を受け付ける受付装置に入力された情報をもとに、前記優先度情報及び前記補正値情報を記憶する
請求項６に記載の空気状態制御装置。
【請求項８】
前記制御部は、前記複数の制御地点のうちの前記算出部によって算出された前記制御用影響度が相対的に小さい制御地点の前記制御用影響度が大きくなるように前記複数の空気状態変更装置を定期的に制御する
請求項１から７のいずれか１項に記載の空気状態制御装置。
【発明の詳細な説明】
【技術分野】
【０００１】
本発明は、空気の状態を変更することができる空気状態変更装置を制御する空気状態制御装置に関する。
【背景技術】
【０００２】
従来、居室空間に空気の状態を変更することができる複数の空気状態変更装置が配置される場合があり、複数の空気状態変更装置を制御する技術が提案されている。例えば、居室空間はオフィスの空間である。空気状態変更装置の例は、空気調和機である。従来、センサで検出される居住者の居る位置での環境情報と、当該位置の環境に影響を与える関連機器によって検出された環境情報とのずれに基づいて、関連機器の環境制御に用いられる環境情報の目標値を補正し、居住者の居る位置の環境情報を、自動的に目標値に近づける技術が提案されている（例えば、特許文献１参照）。
【先行技術文献】
【特許文献】
【０００３】
【特許文献１】特許第５４６０８９１号公報
【発明の概要】
【発明が解決しようとする課題】
【０００４】
しかしながら、特許文献１が開示している技術は、居住者の居る位置の環境情報を目標値に近づけるが、居室空間の全体に対して制御を行わないので、当該技術では、居室空間に温度のムラが発生する可能性がある。そのため、当該技術では、居室空間において人が移動する場合、又は、居室空間に複数の人が居る場合、一人又は複数の人の空気の状態についての快適性が損なわれる。【０００５】
本発明は、上記に鑑みてなされたものであって、居室空間に空気の状態を変更することができる複数の空気状態変更装置が配置された場合に居室空間の全体において空気の状態についての快適性が損なわれることを抑制する空気状態制御装置を得ることを目的とする。
【課題を解決するための手段】
【０００６】
上述した課題を解決し、目的を達成するために、本発明に係る空気状態制御装置は、空気の状態を変更することができる複数の空気状態変更装置の各々が居室空間において配置されている位置を示す位置情報を記憶する記憶部を有する。記憶部は、複数の空気状態変更装置の各々が複数の場所の各々に与える空気の状態についての影響度であって運転状態毎の影響度を示す影響度情報と、複数の空気状態変更装置の各々の運転状態を示す運転状態情報とを更に記憶する。本発明に係る空気状態制御装置は、居室空間が同じ大きさの領域複数個に分割された場合の複数の領域の各々について、記憶部が記憶している位置情報、影響度情報及び運転状態情報をもとに、複数の空気状態変更装置による空気の状態についての影響度である総合影響度を算出する算出部を更に有する。算出部は、居室空間における複数の制御地点の各々について、複数の領域の各々について算出された総合影響度をもとに、複数の空気状態変更装置による空気の状態についての影響度であって複数の空気状態変更装置を制御するための制御用影響度を算出する。本発明に係る空気状態制御装置は、複数の制御地点のうちの算出部によって算出された制御用影響度が相対的に小さい制御地点の制御用影響度が大きくなるように複数の空気状態変更装置を制御する制御部を更に有する。
【発明の効果】
【０００７】
本発明に係る空気状態制御装置は、居室空間に空気の状態を変更することができる複数の空気状態変更装置が配置された場合に居室空間の全体において空気の状態についての快適性が損なわれることを抑制することができる。
【図面の簡単な説明】
【０００８】
【図１】実施の形態１に係る空気状態制御システムの構成を示す図
【図２】実施の形態１に係る空気状態制御装置が有する記憶部が記憶する情報を説明するための図
【図３】実施の形態１に係る空気状態制御装置が有する算出部の構成を示す図
【図４】実施の形態１に係る空気状態制御システムの初期設定についての動作の手順を示すフローチャート
【図５】実施の形態１に係る空気状態制御装置の動作の手順を示すフローチャート
【図６】居室空間に二つの空気状態変更装置が配置された状況を模式的に示す平面図
【図７】居室空間が同じ大きさの領域複数個に分割された場合の居室空間に二つの空気状態変更装置の各々が配置されている状況を示す図
【図８】ひとつの空気状態変更装置による影響度を説明するための図
【図９】ひとつの空気状態変更装置のひとつの吹き出し口から吹出される風による影響度を説明するための第１図
【図１０】ひとつの空気状態変更装置のひとつの吹き出し口から吹出される風による影響度を説明するための第２図
【図１１】ひとつの空気状態変更装置のひとつの吹き出し口から吹出される風による影響度を説明するための第３図
【図１２】複数の制御地点の例を説明するための図
【図１３】ひとつの空気状態変更装置の各吹き出し口から吹出される風が正面に向かう場合の複数の領域の各々の影響度の例を示す第１図
【図１４】ひとつの空気状態変更装置の各吹き出し口から吹出される風が正面に向かう場合の複数の領域の各々の影響度の例を示す第２図
【図１５】二つの空気状態変更装置による空気の状態についての総合影響度の例を示す図
【図１６】実施の形態１に係る空気状態制御装置が有する算出部が居室空間の壁に隣接する領域の総合影響度を算出する場合の総合影響度の算出方法を説明するための図
【図１７】実施の形態１に係る空気状態制御装置が有する算出部が居室空間における複数の制御地点の各々について算出した制御用影響度の例を示す図
【図１８】居室空間に三つの空気状態変更装置が配置された状況を模式的に示す平面図
【図１９】居室空間が同じ大きさの領域複数個に分割された場合の居室空間に三つの空気状態変更装置の各々が配置されている状況を示す図
【図２０】換気扇による空気の状態についての影響度を説明するための図
【図２１】ひとつの空気状態変更装置の各吹き出し口から吹出される風が正面に向かう場合の複数の領域の各々の影響度を示す第３図
【図２２】ひとつの空気状態変更装置の各吹き出し口から吹出される風が正面に向かう場合の複数の領域の各々の影響度を示す第４図
【図２３】ひとつの空気状態変更装置が換気扇である場合の複数の領域の各々の影響度を示す図
【図２４】三つの空気状態変更装置による空気の状態についての総合影響度の例を示す図
【図２５】総合影響度を補正する際の温度差と補正値との関係を示す図
【図２６】実施の形態２に係る空気状態制御装置が有する算出部が居室空間における複数の制御地点の各々について算出した制御用影響度の例を示す図
【図２７】居室空間における複数の制御地点のうちの一部について空気の状態の制御が決定される際に用いられる優先度の例を示す図
【図２８】実施の形態３に係る空気状態制御装置の算出部が総合影響度を補正する際に用いる補正値と優先度との関係の例を示す図
【図２９】実施の形態３における補正後の総合影響度の例を示す図
【図３０】実施の形態３に係る空気状態制御装置が有する算出部が居室空間における複数の制御地点の各々について算出した制御用影響度の例を示す図
【図３１】実施の形態１、実施の形態２及び実施の形態３に係る空気状態制御装置が有する通信部、算出部及び制御部の一部又は全部の機能がプロセッサによって実現される場合のプロセッサを示す図
【図３２】実施の形態１、実施の形態２及び実施の形態３に係る空気状態制御装置が有する通信部、算出部及び制御部の一部又は全部が処理回路によって実現される場合の処理回路を示す図
【発明を実施するための形態】
【０００９】
以下に、本発明の実施の形態に係る空気状態制御装置を図面に基づいて詳細に説明する。なお、この実施の形態によりこの発明が限定されるものではない。
【００１０】
実施の形態１．
図１は、実施の形態１に係る空気状態制御システム１の構成を示す図である。空気状態制御システム１は、空気の状態を変更することができる空気状態変更装置を制御するシステムである。具体的には、空気状態制御システム１は複数の空気状態変更装置を制御する。複数の空気状態変更装置の各々は、被制御機器である。言い換えると、複数の空気状態変更装置の各々は、制御対象機器である。
【００１１】
複数の空気状態変更装置の各々は、居室空間に配置された装置であって、例えば、空気調和機、換気扇、ヒータ、加湿器又は除湿器である。居室空間は、空気の状態についての制御対象空間である。例えば、居室空間はオフィスの空間である。図１には、空気状態変更装置５０Ａ、空気状態変更装置５０Ｂ及び空気状態変更装置５０Ｃが示されている。空気状態変更装置５０Ａ、空気状態変更装置５０Ｂ及び空気状態変更装置５０Ｃは、複数の空気状態変更装置の例である。
【００１２】
空気状態制御システム１は、ユーザが入力する情報及びユーザが行う操作を受け付ける受付装置１０と、居室空間の画像を取得する画像取得器２０と、複数の空気状態変更装置を制御する空気状態制御装置３０と、環境情報を取得する環境検出器４０とを有する。
【００１３】
受付装置１０は、空気状態制御装置３０と通信を行う通信部１１と、ユーザが入力する情報及びユーザが行う操作を受け付ける受付部１２と、情報を表示する表示部１３とを有する。通信部１１は、受付部１２が受け付けた情報と、ユーザが行った操作に対応する情報とを空気状態制御装置３０に送信し、表示部１３によって表示される情報を空気状態制御装置３０から受信する。例えば、表示部１３は、通信部１１が空気状態制御装置３０から受信した情報を表示する。表示部１３の例は、液晶表示装置である。
【００１４】
画像取得器２０は、居室空間の画像を取得する画像取得部２１と、空気状態制御装置３０と通信を行う通信部２２とを有する。例えば、通信部２２は、画像取得部２１が取得した画像を構成する情報を空気状態制御装置３０に送信する。画像取得器２０の例は、カメラ又はサーモセンサである。
【００１５】
空気状態制御装置３０は、受付装置１０、画像取得器２０及び環境検出器４０の各々と通信を行う通信部３１と、情報を記憶する記憶部３２とを有する。記憶部３２の例は、半導体メモリである。空気状態制御装置３０は、複数の空気状態変更装置を制御するための制御用影響度を算出する算出部３３と、算出部３３によって算出された制御用影響度をもとに複数の空気状態変更装置を制御する制御部３４とを更に有する。制御用影響度については、後述する。記憶部３２、算出部３３及び制御部３４の詳細についても、後述する。
【００１６】
環境検出器４０は、環境情報を取得する環境検出部４１と、環境検出部４１が取得した環境情報を空気状態制御装置３０に送信する通信部４２とを有する。環境検出器４０の例は、温度センサである。例えば、環境検出部４１は居室空間の内部の温度を示す環境情報を取得する。例えば、環境検出部４１は居室空間の外部の温度を示す環境情報を取得する。
【００１７】
空気状態制御装置３０と受付装置１０、画像取得器２０及び環境検出器４０の各々との通信は、例えば有線又は無線の通信ネットワークを介して行われる。当該通信は、通信経路の途中に配置された装置を介して行われてもよい。
【００１８】
次に、空気状態制御装置３０が有する記憶部３２、算出部３３及び制御部３４を説明する。記憶部３２は、居室空間において複数の空気状態変更装置の各々が配置されている位置を示す位置情報を記憶する。記憶部３２は、複数の空気状態変更装置の各々が複数の場所の各々に与える空気の状態についての影響度であって運転状態毎の影響度を示す影響度情報を更に記憶する。記憶部３２は、複数の空気状態変更装置の各々の運転状態を示す運転状態情報を更に記憶する。
【００１９】
算出部３３は、居室空間が同じ大きさの領域複数個に分割された場合の複数の領域の各々について、記憶部３２が記憶している位置情報、影響度情報及び運転状態情報をもとに、複数の空気状態変更装置による空気の状態についての影響度である総合影響度を算出する。算出部３３は、居室空間における複数の制御地点の各々について、複数の領域の各々について算出された総合影響度をもとに、複数の空気状態変更装置による空気の状態についての影響度であって複数の空気状態変更装置を制御するための制御用影響度を算出する。複数の制御地点は、複数の領域と異なる。
【００２０】
制御部３４は、複数の制御地点のうちの算出部３３によって算出された制御用影響度が相対的に小さい制御地点の制御用影響度が大きくなるように複数の空気状態変更装置を制御する。記憶部３２、算出部３３及び制御部３４については、後にも説明する。
【００２１】
次に、記憶部３２が記憶する情報を説明する。図２は、実施の形態１に係る空気状態制御装置３０が有する記憶部３２が記憶する情報を説明するための図である。記憶部３２は、制御対象機器データ３２１と、環境検出器データ３２２と、機器マップデータ３２３と、優先度データ３２４とを記憶する。
【００２２】
制御対象機器データ３２１は、複数の制御対象機器である複数の空気状態変更装置の各々を識別する識別情報３２１１を含む。複数の空気状態変更装置の例は、空気状態変更装置５０Ａ、空気状態変更装置５０Ｂ及び空気状態変更装置５０Ｃである。識別情報３２１１の例は、空気状態変更装置の種類、型名及びシリアル番号の一部又は全部を示す情報である。制御対象機器データ３２１は、複数の空気状態変更装置の各々の運転状態を示す運転状態情報３２１２を更に含む。例えば、空気状態変更装置が空気調和機である場合、運転状態は設定温度又は風向についての状態である。
【００２３】
制御対象機器データ３２１は、複数の空気状態変更装置の各々が複数の場所の各々に与える空気の状態についての影響度であって運転状態毎の影響度を示す影響度情報３２１３を更に含む。制御対象機器データ３２１は、複数の空気状態変更装置の各々の制御領域を示す制御領域情報３２１４を更に含む。例えば、空気状態変更装置が空気調和機である場合、制御領域は空気調和機が運転することによって空気の状態が変化する領域である。
【００２４】
環境検出器データ３２２は、環境検出器４０を識別する識別情報３２２１を含む。識別情報３２２１の例は、環境検出器４０の型名及びシリアル番号の一方又は双方を示す情報である。環境検出器データ３２２は、環境検出器４０によって検出された値であるセンサ値３２２２を更に含む。例えば、環境検出器４０が温度センサである場合、センサ値３２２２は温度センサによって検出された温度を示す情報である。
【００２５】
機器マップデータ３２３は、居室空間のフロアレイアウト３２３１と、居室空間において複数の空気状態変更装置の各々が配置されている位置を示す位置情報３２３２と、環境検出器４０が配置されている位置を示す環境検出器位置情報３２３３とを含む。優先度データ３２４は、複数の制御地点の一部について空気の状態の制御が決定される際に用いられる優先度を示す優先度情報３２４１を含む。
【００２６】
次に、算出部３３を説明する。図３は、実施の形態１に係る空気状態制御装置３０が有する算出部３３の構成を示す図である。算出部３３は、画像取得器２０が取得した画像を解析し、居室空間に存在する物を判定する対象判定部３３１を有する。例えば、当該物は居室空間を形成している壁又は窓である。壁及び窓は、居室空間を形成している区画部の例である。
【００２７】
算出部３３は、画像取得器２０が取得した画像を解析し、対象判定部３３１が判定した物の居室空間の内部における位置を判定する位置判定部３３２と、居室空間の内部における複数の空気状態変更装置の各々による影響度を算出し、複数の空気状態変更装置を制御する際の制御の方法を決定する演算部３３３とを更に有する。
【００２８】
次に、実施の形態１に係る空気状態制御システム１の動作を説明する。まず、初期設定についての動作を説明する。図４は、実施の形態１に係る空気状態制御システム１の初期設定についての動作の手順を示すフローチャートである。ユーザは、空気状態変更装置を識別する識別情報３２１１及び環境検出器４０を識別する識別情報３２２１を受付装置１０に入力する。
【００２９】
受付装置１０の受付部１２は、ユーザが入力した識別情報３２１１及び識別情報３２２１を受け付ける。受付装置１０の通信部１１は、識別情報３２１１及び識別情報３２２１を空気状態制御装置３０に送信する。空気状態制御装置３０では、通信部３１が識別情報３２１１及び識別情報３２２１を受信し、記憶部３２が識別情報３２１１及び識別情報３２２１を記憶する（Ｓ１）。図４では、ステップＳ１において記憶部３２が識別情報３２１１及び識別情報３２２１を記憶することは、「機器データの登録」と記載されている。
【００３０】
次に、ユーザは、居室空間のフロアレイアウト３２３１と、居室空間において複数の空気状態変更装置の各々が配置されている位置を示す位置情報３２３２と、環境検出器４０が配置されている位置を示す環境検出器位置情報３２３３とを受付装置１０に入力する。受付装置１０の受付部１２は、ユーザが入力したフロアレイアウト３２３１、位置情報３２３２及び環境検出器位置情報３２３３を受け付ける。
【００３１】
受付装置１０の通信部１１は、フロアレイアウト３２３１、位置情報３２３２及び環境検出器位置情報３２３３を空気状態制御装置３０に送信する。空気状態制御装置３０では、通信部３１がフロアレイアウト３２３１、位置情報３２３２及び環境検出器位置情報３２３３を受信し、記憶部３２がフロアレイアウト３２３１、位置情報３２３２及び環境検出器位置情報３２３３を記憶する（Ｓ２）。つまり、記憶部３２は、ユーザが入力する情報を受け付ける受付装置１０に入力された情報をもとに、位置情報３２３２を記憶する。図４では、ステップＳ２において記憶部３２がフロアレイアウト３２３１、位置情報３２３２及び環境検出器位置情報３２３３を記憶することは、「機器マップデータの登録」と記載されている。
【００３２】
なお、ステップＳ２において、ユーザは、フロアレイアウト３２３１をもとに表示部１３に居室空間のフロアレイアウトを表示させ、表示されたフロアレイアウトに、複数の空気状態変更装置の各々が配置されている位置を示す情報と、環境検出器４０が配置されている位置を示す情報とを記入してもよい。又は、ユーザは、表示されたフロアレイアウトに、複数の空気状態変更装置の各々を示すマークと、環境検出器４０を示すマークとを記入してもよい。ユーザは、表示されたフロアレイアウトに、居室空間を形成している壁及び窓の一方又は双方を示す情報を記入してもよい。
【００３３】
ステップＳ２において、算出部３３は、画像取得器２０が取得した居室空間の画像をもとに、フロアレイアウトと、複数の空気状態変更装置の各々が配置されている位置と、環境検出器４０が配置されている位置とを算出してもよい。更に言うと、算出部３３は、複数の空気状態変更装置の各々が配置されている位置を示す情報と、環境検出器４０が配置されている位置を示す情報とがフロアレイアウトに記入された機器マップデータを生成してもよい。
【００３４】
算出部３３は、機器マップデータに壁及び窓の一方又は双方を示す情報を記入してもよい。その場合、記憶部３２は、算出部３３が算出した結果をもとに、フロアレイアウト３２３１、位置情報３２３２及び環境検出器位置情報３２３３を記憶する。更に言うと、記憶部３２は、居室空間の画像を取得する画像取得器２０によって取得された画像をもとに算出された位置情報３２３２を記憶する。ユーザは、算出部３３が生成した機器マップデータを修正してもよい。いずれにしても、ステップＳ２において、記憶部３２は、フロアレイアウト３２３１、位置情報３２３２及び環境検出器位置情報３２３３を記憶する。
【００３５】
次に、ユーザは、ステップＳ１において入力した識別情報３２１１とステップＳ２において入力した位置情報３２３２とを紐付けるための第１紐付けデータと、ステップＳ１において入力した識別情報３２２１とステップＳ２において入力した環境検出器位置情報３２３３とを紐付けるための第２紐付けデータとを受付装置１０に入力する。受付装置１０の受付部１２は、ユーザが入力した第１紐付けデータ及び第２紐付けデータを受け付ける。
【００３６】
受付装置１０の通信部１１は、第１紐付けデータ及び第２紐付けデータを空気状態制御装置３０に送信する。空気状態制御装置３０では、通信部３１が第１紐付けデータ及び第２紐付けデータを受信し、記憶部３２が第１紐付けデータ及び第２紐付けデータを記憶する。記憶部３２は、第１紐付けデータをもとに識別情報３２１１と位置情報３２３２とを紐付け、第２紐付けデータをもとに識別情報３２２１と環境検出器位置情報３２３３とを紐付ける（Ｓ３）。図４では、ステップＳ３において記憶部３２が識別情報３２１１と位置情報３２３２とを紐付けると共に識別情報３２２１と環境検出器位置情報３２３３とを紐付けることは、「機器マップデータと識別情報の紐付け」と記載されている。
【００３７】
次に、ユーザは、複数の空気状態変更装置の各々が複数の場所の各々に与える空気の状態についての影響度であって運転状態毎の影響度を示す影響度情報を受付装置１０に入力する。受付装置１０の受付部１２は、ユーザが入力した影響度情報を受け付ける。受付装置１０の通信部１１は、影響度情報を空気状態制御装置３０に送信する。空気状態制御装置３０では、通信部３１が影響度情報を受信し、記憶部３２が影響度情報を記憶する（Ｓ４）。つまり、記憶部３２は、ユーザが入力する情報を受け付ける受付装置１０に入力された情報をもとに、影響度情報を記憶する。図４では、ステップＳ４において記憶部３２が影響度情報を記憶することは、「影響度情報の登録」と記載されている。
【００３８】
なお、影響度情報は、記憶部３２にあらかじめ記憶されていてもよい。その場合、ステップＳ４の処理は省略される。記憶部３２が空気状態変更装置の種類毎の影響度を示す情報をあらかじめ記憶していて、算出部３３が当該情報と空気状態変更装置を識別する識別情報３２１１とをもとに複数の空気状態変更装置の各々についての影響度を算出してもよい。その場合においても、ステップＳ４において、記憶部３２は影響度情報を記憶する。
【００３９】
記憶部３２は、影響度情報と同様に、ユーザが入力する情報を受け付ける受付装置１０に入力された情報をもとに、運転状態情報３２１２を記憶してもよい。記憶部３２は、例えば影響度情報と同様に、ユーザが入力する情報を受け付ける受付装置１０に入力された情報をもとに、居室空間を形成している区画部についての情報である区画部情報を記憶してもよい。
【００４０】
次に、ユーザは、複数の制御地点の一部について空気の状態の制御が決定される際に用いられる優先度を示す優先度情報３２４１を受付装置１０に入力する。受付装置１０の受付部１２は、ユーザが入力した優先度情報３２４１を受け付ける。受付装置１０の通信部１１は、優先度情報３２４１を空気状態制御装置３０に送信する。空気状態制御装置３０では、通信部３１が優先度情報３２４１を受信し、記憶部３２が優先度情報３２４１を記憶する（Ｓ５）。図４では、ステップＳ５において記憶部３２が優先度情報３２４１を記憶することは、「優先度情報の登録」と記載されている。
【００４１】
つまり、記憶部３２は、ユーザが入力する情報を受け付ける受付装置１０に入力された情報をもとに、優先度情報３２４１を記憶する。記憶部３２は、複数の優先度の各々についての補正値を示す補正値情報を更に記憶する。記憶部３２は、優先度情報３２４１と同様に、受付装置１０に入力された情報をもとに、補正値情報を記憶してもよい。
【００４２】
次に、ユーザは、複数の空気状態変更装置の各々が空気の状態を制御する領域を示す制御領域情報３２１４を受付装置１０に入力する。受付装置１０の受付部１２は、ユーザが入力した制御領域情報３２１４を受け付ける。受付装置１０の通信部１１は、制御領域情報３２１４を空気状態制御装置３０に送信する。空気状態制御装置３０では、通信部３１が制御領域情報３２１４を受信し、記憶部３２が制御領域情報３２１４を記憶する（Ｓ６）。図４では、ステップＳ６において記憶部３２が制御領域情報３２１４を記憶することは、「制御領域情報の登録」と記載されている。
【００４３】
なお、制御領域情報３２１４は、記憶部３２にあらかじめ記憶されていてもよい。その場合、ステップＳ６の処理は省略される。記憶部３２が空気状態変更装置の種類毎の空気の状態を制御する領域を示す情報をあらかじめ記憶していて、算出部３３が当該情報と空気状態変更装置を識別する識別情報３２１１とをもとに複数の空気状態変更装置の各々についての空気の状態を制御する領域を算出してもよい。その場合においても、ステップＳ６において、記憶部３２は制御領域情報３２１４を記憶する。
【００４４】
次に、空気状態制御装置３０が複数の空気状態変更装置を制御する動作を説明する。図５は、実施の形態１に係る空気状態制御装置３０の動作の手順を示すフローチャートである。算出部３３は、記憶部３２に記憶されている制御対象機器データ３２１と、機器マップデータ３２３とを取得する。算出部３３は、居室空間が同じ大きさの領域複数個に分割された場合の複数の領域の各々について、取得したデータをもとに、複数の空気状態変更装置の各々による空気の状態についての影響度を算出する（Ｓ１１）。
【００４５】
算出部３３は、ステップＳ１１において算出した複数の空気状態変更装置の各々による影響度を重ね合わせて、複数の空気状態変更装置による空気の状態についての影響度である総合影響度を算出する（Ｓ１２）。
【００４６】
算出部３３は、居室空間における複数の制御地点の各々について、ステップＳ１２において算出した複数の領域の各々についての総合影響度をもとに、複数の空気状態変更装置による空気の状態についての影響度であって複数の空気状態変更装置を制御するための制御用影響度を算出する（Ｓ１３）。具体的には、平面において互いに隣接する４個の領域によって構成されるひとつの組の中心点がひとつの制御地点であって、算出部３３は当該４個の領域の各々の総合影響度を平均して、当該ひとつの制御地点の制御用影響度を算出する。当該平面の例は、居室空間の天井又は天井と平行な面である。当該４個の領域は、ひとつの正方形に含まれる。
【００４７】
制御部３４は、複数の制御地点のうちの算出部３３によって算出された制御用影響度が相対的に小さい制御地点の制御用影響度が大きくなるように、複数の空気状態変更装置を制御する（Ｓ１４）。
【００４８】
次に、空気状態制御装置３０が複数の空気状態変更装置を制御する動作の具体例を説明する。図６は、居室空間Ｓに二つの空気状態変更装置が配置された状況を模式的に示す平面図である。二つの空気状態変更装置は、空気状態変更装置５０Ａ及び空気状態変更装置５０Ｂである。居室空間Ｓの例は、オフィスの空間である。空気状態変更装置５０Ａ及び空気状態変更装置５０Ｂはいずれも、空気調和機であることを仮定する。当該空気調和機は、４方向に吹き出し口が形成されていることを更に仮定する。空気状態変更装置５０Ａ及び空気状態変更装置５０Ｂは居室空間Ｓの天井に配置されていて、空気状態変更装置５０Ａと空気状態変更装置５０Ｂとが離れていることを更に仮定する。
【００４９】
図７は、居室空間Ｓが同じ大きさの領域複数個に分割された場合の居室空間Ｓに二つの空気状態変更装置の各々が配置されている状況を示す図である。二つの空気状態変更装置は、空気状態変更装置５０Ａ及び空気状態変更装置５０Ｂである。空気状態変更装置５０Ａ及び空気状態変更装置５０Ｂはいずれも、斜線によって示されている。図７は、居室空間Ｓが平面において縦方向に６分割されて横方向に９分割され、それにより居室空間Ｓが５４個の領域で構成されている例を示している。当該平面は、居室空間Ｓの天井又は天井と平行な面である。５４個の領域の各々は正方形であって、破線が用いられて特定されている。図７は、居室空間Ｓを形成している区画部についての情報を更に示している。具体的には、図７は、居室空間Ｓが４個の壁によって形成されていることを示している。壁は、区画部の例である。
【００５０】
図８は、ひとつの空気状態変更装置による影響度を説明するための図である。図８は、ひとつの平面が複数の正方形によって分割されていて、当該ひとつの平面の中心に当該ひとつの空気状態変更装置が配置されている状況を示している。当該ひとつの平面は、居室空間Ｓの天井の一部である。当該ひとつの空気状態変更装置が配置されている部位は、斜線が用いられて示されている。複数の正方形の各々に記載されている数字は、当該ひとつの空気状態変更装置が複数の正方形の場所の各々に与える空気の状態についての影響度を示している。数字が大きいほど、影響度は大きい。図８は、影響度は当該ひとつの空気状態変更装置から遠くなるほど小さくなることを示している。図８は、影響度を０から３までの４段階で示しているが、影響度は４段階で示されると限定されない。
【００５１】
図９は、ひとつの空気状態変更装置のひとつの吹き出し口から吹出される風による影響度を説明するための第１図である。図９においても、図８と同様に、複数の領域の各々は正方形で示されており、当該ひとつの空気状態変更装置が配置されている部位は、斜線が用いられて示されており、影響度は数字が用いられて示されている。図９は、当該ひとつの吹き出し口から吹出される風が正面に向く場合の影響度の例を示している。
【００５２】
図１０は、ひとつの空気状態変更装置のひとつの吹き出し口から吹出される風による影響度を説明するための第２図である。図１０においても、図８と同様に、複数の領域の各々は正方形で示されており、当該ひとつの空気状態変更装置が配置されている部位は、斜線が用いられて示されており、影響度は数字が用いられて示されている。図１０は、当該ひとつの吹き出し口から吹出される風が左側に向く場合の影響度の例を示している。
【００５３】
図１１は、ひとつの空気状態変更装置のひとつの吹き出し口から吹出される風による影響度を説明するための第３図である。図１１においても、図８と同様に、複数の領域の各々は正方形で示されており、当該ひとつの空気状態変更装置が配置されている部位は、斜線が用いられて示されており、影響度は数字が用いられて示されている。図１１は、当該ひとつの吹き出し口から吹出される風が右側に向く場合の影響度の例を示している。
【００５４】
なお、図９から図１１を用いて、ひとつの空気状態変更装置のひとつの吹き出し口から吹出される風が三つの向きの各々に向く場合の影響度を説明したが、吹き出し口から吹出される風が流れる向きは三つに限定されない。当該風は、４以上の向きのいずれかに向かってもよい。当該風が流れる向きは、左右方向だけでなく、上下方向に変化してもよい。上述の通り、記憶部３２が記憶する制御対象機器データ３２１は、制御対象機器の運転状態を示す運転状態情報３２１２を含む。運転状態のひとつは風向についての状態であって、風向についての状態は、風が左右方向において流れる向きと、風が上下方向において流れる向きとの一方又は双方を含む。
【００５５】
図１２は、複数の制御地点の例を説明するための図である。複数の制御地点の各々は、居室空間Ｓが同じ大きさの正方形の領域複数個に分割された場合の互いに隣接する４個の領域によって構成される各組の中心点である。図１２では、複数の制御地点の各々は、丸印で示されている。
【００５６】
図１２は、ひとつの空気状態変更装置の制御領域を示す制御領域情報を更に示している。図９から図１１を用いて、ひとつの空気状態変更装置のひとつの吹き出し口から吹出される風が三つの向きの各々に向く場合の影響度を説明した。図１２は、吹き出し口から吹出される風が左に向く場合の制御領域情報Ｓ１と、当該風が正面に向く場合の制御領域情報Ｓ２と、当該風が右に向く場合の制御領域情報Ｓ３とを示している。
【００５７】
空気状態制御装置３０の算出部３３は、記憶部３２に記憶されている制御対象機器データ３２１及び機器マップデータ３２３をもとに、複数の領域の各々について、空気状態変更装置５０Ａと空気状態変更装置５０Ｂとの各々による空気の状態についての影響度を算出する。
【００５８】
空気状態変更装置５０Ａの各吹き出し口から吹出される風が正面に向かうと仮定すると、算出部３３は、複数の領域の各々について図１３に示す影響度を算出する。図１３は、ひとつの空気状態変更装置の各吹き出し口から吹出される風が正面に向かう場合の複数の領域の各々の影響度の例を示す第１図である。当該ひとつの空気状態変更装置は、空気状態変更装置５０Ａである。図１３では、複数の領域の各々は破線で囲まれており、影響度は数字で示されている。居室空間Ｓの外縁に位置する領域のひとつの辺又は二つの辺は、実線で示されている。
【００５９】
空気状態変更装置５０Ｂの各吹き出し口から吹出される風が正面に向かうと仮定すると、算出部３３は、複数の領域の各々について図１４に示す影響度を算出する。図１４は、ひとつの空気状態変更装置の各吹き出し口から吹出される風が正面に向かう場合の複数の領域の各々の影響度の例を示す第２図である。当該ひとつの空気状態変更装置は、空気状態変更装置５０Ｂである。図１４では、複数の領域の各々は破線で囲まれており、影響度は数字で示されている。居室空間Ｓの外縁に位置する領域のひとつの辺又は二つの辺は、実線で示されている。
【００６０】
次に、算出部３３は、空気状態変更装置５０Ａによる空気の状態についての影響度と、空気状態変更装置５０Ｂによる空気の状態についての影響度とを重ね合わせて、空気状態変更装置５０Ａ及び空気状態変更装置５０Ｂによる空気の状態についての影響度である総合影響度を算出する。具体的には、算出部３３は、図１３に示される影響度と図１４に示される影響度とを重ね合わせて総合影響度を算出する。図１５は、二つの空気状態変更装置による空気の状態についての総合影響度の例を示す図である。当該二つの空気状態変更装置は、空気状態変更装置５０Ａ及び空気状態変更装置５０Ｂである。
【００６１】
算出部３３は、居室空間Ｓの壁に隣接する領域の総合影響度を算出する場合、壁の影響を考慮して総合影響度を算出する。図１６は、実施の形態１に係る空気状態制御装置３０が有する算出部３３が居室空間Ｓの壁に隣接する領域の総合影響度を算出する場合の総合影響度の算出方法を説明するための図である。更に言うと、図１６は、算出部３３が壁に隣接する領域の総合影響度を補正する場合の総合影響度の補正方法を説明するための図である。図１６の太線は、居室空間Ｓのひとつの壁の一部分を示している。
【００６２】
符号「ａ」が付与された領域は、居室空間Ｓのなかの壁に隣接するひとつの領域である。符号「α」が付与された部分の領域は居室空間Ｓの外側の第１壁外領域であり、符号「β」が付与された部分の領域は居室空間Ｓの外側の第２壁外領域であり、符号「γ」が付与された部分の領域は居室空間Ｓの外側の第３壁外領域である。領域ａと第２壁外領域βとは壁を挟んで向き合っており、第２壁外領域βは第１壁外領域αと第３壁外領域γとに挟まれている。
【００６３】
空気状態変更装置５０Ａによる空気の状態についての影響度と空気状態変更装置５０Ｂによる空気の状態についての影響度とを単純に重ね合わせた場合の領域ａの影響度が値ａであると仮定する。当該場合の第１壁外領域αの影響度が値αであると仮定し、当該場合の第２壁外領域βの影響度が値βであると仮定し、当該場合の第３壁外領域γの影響度が値γであると仮定する。
【００６４】
算出部３３は、空気状態変更装置５０Ａによる空気の状態についての影響度と空気状態変更装置５０Ｂによる空気の状態についての影響度とを用いて算出した総合影響度を補正する。具体的には、算出部３３は、壁の影響を考慮して領域ａの総合影響度を補正する場合、「ａ＋（α＋β＋γ）／３」の式を用いて総合影響度を補正する。つまり、算出部３３は、領域ａの総合影響度を「ａ＋（α＋β＋γ）／３」の式によって得られる総合影響度に補正する。このように、算出部３３は、記憶部３２が記憶している区画部情報を用いて総合影響度を補正する。
【００６５】
次に、算出部３３は、居室空間における複数の制御地点の各々について、複数の領域の各々についての総合影響度をもとに、制御用影響度を算出する。算出部３３は、制御用影響度を算出する場合、補正後の総合影響度をもとに制御用影響度を算出する。ひとつの制御地点は、互いに隣接する４個の領域によって構成されるひとつの組の中心点である。当該４個の領域は、ひとつの正方形に含まれる。算出部３３は、当該４個の領域の各々の総合影響度を平均して、当該ひとつの制御地点の制御用影響度を算出する。
【００６６】
図１７は、実施の形態１に係る空気状態制御装置３０が有する算出部３３が居室空間Ｓにおける複数の制御地点の各々について算出した制御用影響度の例を示す図である。算出部３３は、図１７に示すように、算出した総合影響度をもとに、居室空間Ｓにおける複数の制御地点の各々について制御用影響度を算出する。
【００６７】
図１７は、空気状態変更装置５０Ａ及び空気状態変更装置５０Ｂを模式的に示している。図１７において、符号５１Ａは空気状態変更装置５０Ａの第１の吹き出し口の位置を示しており、符号５１Ｂは空気状態変更装置５０Ａの第２の吹き出し口の位置を示しており、符号５１Ｃは空気状態変更装置５０Ａの第３の吹き出し口の位置を示しており、符号５１Ｄは空気状態変更装置５０Ａの第４の吹き出し口の位置を示している。図１７において、符号５２Ａは空気状態変更装置５０Ｂの第１の吹き出し口の位置を示しており、符号５２Ｂは空気状態変更装置５０Ｂの第２の吹き出し口の位置を示しており、符号５２Ｃは空気状態変更装置５０Ｂの第３の吹き出し口の位置を示しており、符号５２Ｄは空気状態変更装置５０Ｂの第４の吹き出し口の位置を示している。
【００６８】
図１７の居室空間Ｓの内側の太線で示された長方形は、空気状態変更装置５０Ａの吹き出し口５１Ａの制御範囲である。言い換えると、吹き出し口５１Ａの制御範囲は、当該太線で示された長方形の内側である。当該制御範囲において、最も小さい制御用影響度は０．３である。制御用影響度が０．３である制御地点は、吹き出し口５１Ａの右側に位置する。そのため、制御部３４は、吹き出し口５１Ａから吹出される風が右側に向かうように空気状態変更装置５０Ａを制御する。
【００６９】
制御部３４は、空気状態変更装置５０Ａの吹き出し口５１Ｂ、吹き出し口５１Ｃ及び吹き出し口５１Ｄの各々の制御範囲の内側で、最も小さい制御用影響度の制御地点の制御用影響度が大きくなるように空気状態変更装置５０Ａを制御する。具体的には、制御部３４は、吹き出し口５１Ｂから吹出される風が左側に向かい、吹き出し口５１Ｃから吹出される風が右側に向かい、吹き出し口５１Ｄから吹出される風が左側に向かうように、空気状態変更装置５０Ａを制御する。
【００７０】
制御部３４は、空気状態変更装置５０Ａを制御する場合と同様に、空気状態変更装置５０Ｂを制御する。具体的には、制御部３４は、吹き出し口５２Ａから吹出される風が右側に向かい、吹き出し口５２Ｂから吹出される風が右側に向かい、吹き出し口５２Ｃから吹出される風が右側に向かい、吹き出し口５２Ｄから吹出される風が左側に向かうように、空気状態変更装置５０Ｂを制御する。
【００７１】
上述の通り、実施の形態１に係る空気状態制御装置３０は、居室空間Ｓが同じ大きさの領域複数個に分割された場合の複数の領域の各々について、複数の空気状態変更装置の各々による空気の状態についての影響度を算出する。空気状態制御装置３０は、複数の空気状態変更装置の各々による影響度を重ね合わせて、複数の空気状態変更装置による空気の状態についての影響度である総合影響度を算出する。
【００７２】
空気状態制御装置３０は、居室空間における複数の制御地点の各々について、算出した複数の領域の各々についての総合影響度をもとに、複数の空気状態変更装置による空気の状態についての影響度であって複数の空気状態変更装置を制御するための制御用影響度を算出する。空気状態制御装置３０は、複数の制御地点のうちの制御用影響度が相対的に小さい制御地点の制御用影響度が大きくなるように、複数の空気状態変更装置を制御する。
【００７３】
したがって、空気状態制御装置３０は、居室空間Ｓに空気の状態を変更することができる複数の空気状態変更装置が配置された場合に居室空間Ｓの全体において空気の状態についての快適性が損なわれることを抑制することができる。例えば、空気状態制御装置３０は、居室空間Ｓの全体にいて温度のムラが生じることを抑制することができる。
【００７４】
なお、空気状態制御装置３０の制御部３４は、複数の制御地点のうちの算出部３３によって算出された制御用影響度が相対的に小さい制御地点の制御用影響度が大きくなるように、複数の空気状態変更装置を定期的に制御してもよい。これにより、居室空間Ｓの全体における快適性が損なわれることを更に抑制することができる。
【００７５】
実施の形態２．
実施の形態１の例では、居室空間Ｓを形成している四つの区画部は壁であって、複数の空気状態変更装置は空気状態変更装置５０Ａ及び空気状態変更装置５０Ｂの二つの空気状態変更装置である。実施の形態２では、居室空間Ｓを形成している四つの区画部のうちの三つの区画部が壁であってひとつの区画部が窓であり、複数の空気状態変更装置は空気状態変更装置５０Ａ、空気状態変更装置５０Ｂ及び空気状態変更装置５０Ｃの三つの空気状態変更装置である。実施の形態２では、実施の形態１と相違する事項を主に説明する。
【００７６】
上述の通り、実施の形態２では、居室空間Ｓを形成している四つの区画部のうちのひとつの区画部が窓である。そのため、記憶部３２は、窓についての情報である区画部情報を記憶する。区画部情報は、総合影響度の算出に影響を与える。実施の形態２では、複数の空気状態変更装置は空気状態変更装置５０Ｃを含む。空気状態変更装置５０Ｃは換気扇である。
【００７７】
図１８は、居室空間Ｓに三つの空気状態変更装置が配置された状況を模式的に示す平面図である。当該三つの空気状態変更装置は、空気状態変更装置５０Ａ、空気状態変更装置５０Ｂ及び空気状態変更装置５０Ｃである。空気状態変更装置５０Ａ及び空気状態変更装置５０Ｂはいずれも空気調和機であり、空気状態変更装置５０Ｃは上述の通り換気扇である。居室空間Ｓの内部には、居室空間Ｓの内部の温度を検出する第１環境検出器６１が配置されている。居室空間Ｓの外部には、居室空間Ｓの外部の温度を検出する第２環境検出器６２が配置されている。第１環境検出器６１及び第２環境検出器６２はいずれも温度センサである。
【００７８】
図１９は、居室空間Ｓが同じ大きさの領域複数個に分割された場合の居室空間Ｓに三つの空気状態変更装置の各々が配置されている状況を示す図である。三つの空気状態変更装置は、空気状態変更装置５０Ａ、空気状態変更装置５０Ｂ及び空気状態変更装置５０Ｃである。空気状態変更装置５０Ａ及び空気状態変更装置５０Ｂは、斜線によって示されている。空気状態変更装置５０Ｃは、縦線によって示されている。
【００７９】
図１９は、居室空間Ｓが縦方向に６分割されて横方向に９分割され、それにより居室空間Ｓが５４個の領域で構成されていることを示している。５４個の領域の各々は正方形であって、破線が用いられて特定されている。図１９には、第１環境検出器６１及び第２環境検出器６２の各々も模式的に示されている。第１環境検出器６１及び第２環境検出器６２はいずれも、横線によって示されている。図１９は、居室空間Ｓを形成している区画部についての情報を更に示している。具体的には、図１９は、居室空間Ｓが３個の壁とひとつの窓とによって形成されていることを示している。壁及び窓は、区画部の例である。
【００８０】
図２０は、換気扇による空気の状態についての影響度を説明するための図である。図２０は、９個の正方形の領域で構成されている範囲の中心に換気扇が配置されている状況を示している。換気扇は、縦線が用いられて示されている。９個の正方形の領域の各々に記載されている数字は、換気扇が９個の領域の各々に与える空気の状態についての影響度を示している。数字が大きいほど、影響度は大きい。
【００８１】
空気状態制御装置３０の算出部３３は、記憶部３２に記憶されている制御対象機器データ３２１、環境検出器データ３２２及び機器マップデータ３２３をもとに、複数の領域の各々について、空気状態変更装置５０Ａ、空気状態変更装置５０Ｂ及び空気状態変更装置５０Ｃの各々による空気の状態についての影響度を算出する。
【００８２】
空気状態変更装置５０Ａの各吹き出し口から吹出される風が正面に向かうと仮定すると、算出部３３は、複数の領域の各々について図２１に示す影響度を算出する。図２１は、ひとつの空気状態変更装置の各吹き出し口から吹出される風が正面に向かう場合の複数の領域の各々の影響度を示す第３図である。当該ひとつの空気状態変更装置は、空気状態変更装置５０Ａである。図２１では、複数の領域の各々は破線で囲まれており、影響度は数字で示されている。居室空間Ｓの外縁に位置する領域のひとつの辺又は二つの辺は、実線で示されている。
【００８３】
空気状態変更装置５０Ｂの各吹き出し口から吹出される風が正面に向かうと仮定すると、算出部３３は、複数の領域の各々について図２２に示す影響度を算出する。図２２は、ひとつの空気状態変更装置の各吹き出し口から吹出される風が正面に向かう場合の複数の領域の各々の影響度を示す第４図である。当該ひとつの空気状態変更装置は、空気状態変更装置５０Ｂである。図２２では、複数の領域の各々は破線で囲まれており、影響度は数字で示されている。居室空間Ｓの外縁に位置する領域のひとつの辺又は二つの辺は、実線で示されている。
【００８４】
算出部３３は、換気扇である空気状態変更装置５０Ｃによる空気の状態について図２３に示す影響度を算出する。図２３は、ひとつの空気状態変更装置が換気扇である場合の複数の領域の各々の影響度を示す図である。図２３では、複数の領域の各々は破線で囲まれており、影響度は数字で示されている。なお、居室空間Ｓの外縁に位置する領域のひとつの辺又は二つの辺は実線で示されている。
【００８５】
次に、算出部３３は、空気状態変更装置５０Ａによる空気の状態についての影響度と、空気状態変更装置５０Ｂによる空気の状態についての影響度と、空気状態変更装置５０Ｃによる空気の状態についての影響度とを重ね合わせて、空気状態変更装置５０Ａ、空気状態変更装置５０Ｂ及び空気状態変更装置５０Ｃによる空気の状態についての影響度である総合影響度を算出する。具体的には、算出部３３は、図２１に示される影響度と図２２に示される影響度と図２３に示される影響度とを重ね合わせて総合影響度を算出する。
【００８６】
図２４は、三つの空気状態変更装置による空気の状態についての総合影響度の例を示す図である。当該三つの空気状態変更装置は、空気状態変更装置５０Ａ、空気状態変更装置５０Ｂ及び空気状態変更装置５０Ｃである。算出部３３は、居室空間Ｓの壁に隣接する領域の総合影響度について、実施の形態１の場合と同様に、壁の影響を考慮して総合影響度を補正する。
【００８７】
算出部３３は、居室空間Ｓの窓に隣接する領域の総合影響度について、壁に隣接する領域の総合影響度を補正する場合と同様に窓の影響を考慮して総合影響度を補正すると共に、第１環境検出器６１によって検出された温度と第２環境検出器６２によって検出された温度との温度差をもとに、総合影響度を補正する。
【００８８】
図２５は、総合影響度を補正する際の温度差と補正値との関係を示す図である。図２５において、外気温は第２環境検出器６２によって検出された温度であり、室温は第１環境検出器６１によって検出された温度である。空気状態変更装置５０Ａ及び空気状態変更装置５０Ｂが冷房運転又はドライ運転を行っている場合、外気温から室温を差し引いた温度差が５℃未満である場合の補正値は０であり、当該温度差が５℃以上１０℃未満である場合の補正値は−０．５であり、当該温度差が１０℃以上である場合の補正値は−１である。空気状態変更装置５０Ａ及び空気状態変更装置５０Ｂが暖房運転を行っている場合、室温から外気温を差し引いた温度差が５℃未満である場合の補正値は０であり、当該温度差が５℃以上１０℃未満である場合の補正値は−０．５であり、当該温度差が１０℃以上である場合の補正値は−１である。
【００８９】
算出部３３は、空気状態変更装置５０Ａ及び空気状態変更装置５０Ｂの運転の状況と、外気温と室温との温度差に対応する補正値を用いて、総合影響度を補正する。つまり、算出部３３は、居室空間Ｓの内部の環境情報と居室空間Ｓの内部の環境情報とを用いて、総合影響度を補正する。
【００９０】
次に、算出部３３は、実施の形態１と同様に、居室空間Ｓにおける複数の制御地点の各々について、複数の領域の各々についての総合影響度をもとに、制御用影響度を算出する。算出部３３は、制御用影響度を算出する場合、補正後の総合影響度をもとに制御用影響度を算出する。
【００９１】
図２６は、実施の形態２に係る空気状態制御装置３０が有する算出部３３が居室空間Ｓにおける複数の制御地点の各々について算出した制御用影響度の例を示す図である。算出部３３は、図２６に示すように、総合影響度をもとに、居室空間Ｓにおける複数の制御地点の各々について制御用影響度を算出する。
【００９２】
空気状態制御装置３０の制御部３４は、複数の制御地点のうちの算出部３３によって算出された制御用影響度が相対的に小さい制御地点の制御用影響度が大きくなるように、複数の空気状態変更装置を制御する。
【００９３】
具体的には、制御部３４は、吹き出し口５１Ａから吹出される風が右側に向かい、吹き出し口５１Ｂから吹出される風が右側に向かい、吹き出し口５１Ｃから吹出される風が右側に向かい、吹き出し口５１Ｄから吹出される風が左側に向かうように、空気状態変更装置５０Ａを制御する。制御部３４は、吹き出し口５２Ａから吹出される風が右側に向かい、吹き出し口５２Ｂから吹出される風が正面に向かい、吹き出し口５２Ｃから吹出される風が右側に向かい、吹き出し口５２Ｄから吹出される風が左側に向かうように、空気状態変更装置５０Ｂを制御する。
【００９４】
上述の通り、実施の形態２に係る空気状態制御装置３０は、居室空間Ｓの内部の環境情報と居室空間Ｓの内部の環境情報とを用いて、総合影響度を補正する。環境情報の例は、温度を示す情報である。空気状態制御装置３０は、居室空間Ｓの内部の環境情報と居室空間Ｓの内部の環境情報とが用いられて補正された総合影響度をもとにする制御用影響度を用いて複数の空気状態変更装置を制御する。これにより、空気状態制御装置３０は、居室空間Ｓの内部と外部との環境の相違を考慮して居室空間Ｓの全体における空気の状態についての快適性が損なわれることを抑制することができる。
【００９５】
なお、空気状態制御装置３０の制御部３４は、複数の制御地点のうちの算出部３３によって算出された制御用影響度が相対的に小さい制御地点の制御用影響度が大きくなるように、複数の空気状態変更装置を定期的に制御してもよい。これにより、居室空間Ｓの全体における快適性が損なわれることを更に抑制することができる。
【００９６】
実施の形態３．
実施の形態１及び実施の形態２では、居室空間Ｓにおける複数の制御地点について、空気の状態の制御が決定される際の優先度は設定されていない。ユーザは、複数の制御地点のなかのひとつの制御地点に重点的に風を当てることを希望する場合がある。ユーザは、複数の制御地点のなかのひとつの制御地点に風を当てないことを希望する場合がある。実施の形態３では、複数の制御地点の一部について、空気の状態の制御が決定される際に用いられる優先度が設定される。
【００９７】
実施の形態３では、居室空間Ｓに空気状態変更装置５０Ａ、空気状態変更装置５０Ｂ及び空気状態変更装置５０Ｃが配置された状況を仮定する。つまり、実施の形態３では、実施の形態２において用いられた図１８が示す状況を仮定する。図２７は、居室空間Ｓにおける複数の制御地点のうちの一部について空気の状態の制御が決定される際に用いられる優先度の例を示す図である。
【００９８】
図２７に示す通り、複数の領域のうちの一部の領域には、「優先度」という文字列と数字とが付与されている。当該数字は優先度を示し、「優先度」という文字列と数字とが付与されている領域について優先度が設定されている。詳細は後述するが、算出部３３は優先度をもとに総合影響度を補正する。図２７には、１から５までの優先度が示されているが、優先度は１から５までの５段階に限定されない。
【００９９】
図２８は、実施の形態３に係る空気状態制御装置３０の算出部３３が総合影響度を補正する際に用いる補正値と優先度との関係の例を示す図である。例えば、図２８は、優先度が１である場合の補正値が−４であって、優先度が５である場合の補正値が４であることを示している。ユーザが特定の制御地点に風を重点的に当てることを希望する場合、当該制御地点を構成するひとつの領域の優先度は負の値に設定される。ユーザが特定の制御地点に風を当てないことを希望する場合、当該制御地点を構成するひとつの領域の優先度は正の値に設定される。
【０１００】
算出部３３は、記憶部３２に記憶されている制御対象機器データ３２１及び機器マップデータ３２３をもとに、複数の領域の各々について、空気状態変更装置５０Ａ、空気状態変更装置５０Ｂ及び空気状態変更装置５０Ｃの各々による空気の状態についての影響度を算出する。
【０１０１】
算出部３３は、空気状態変更装置５０Ａによる空気の状態についての影響度と、空気状態変更装置５０Ｂによる空気の状態についての影響度と、空気状態変更装置５０Ｃによる空気の状態についての影響度とを重ね合わせて、空気状態変更装置５０Ａ、空気状態変更装置５０Ｂ及び空気状態変更装置５０Ｃによる空気の状態についての影響度である総合影響度を算出する。算出部３３は、実施の形態２と同様に、居室空間Ｓの内部の環境情報と居室空間Ｓの内部の環境情報とを用いて、総合影響度を補正してもよい。
【０１０２】
算出部３３は、優先度情報及び補正値情報を用いて、算出した又は補正した総合影響度を補正する。優先度情報及び補正値情報は、記憶部３２に記憶されている。図２９は、実施の形態３における補正後の総合影響度の例を示す図である。
【０１０３】
算出部３３は、実施の形態１と同様に、居室空間Ｓにおける複数の制御地点の各々について、複数の領域の各々についての補正後の総合影響度をもとに、制御用影響度を算出する。図３０は、実施の形態３に係る空気状態制御装置３０が有する算出部３３が居室空間Ｓにおける複数の制御地点の各々について算出した制御用影響度の例を示す図である。
【０１０４】
制御部３４は、複数の制御地点のうちの算出部３３によって算出された制御用影響度が相対的に小さい制御地点の制御用影響度が大きくなるように、空気状態変更装置５０Ａ及び空気状態変更装置５０Ｂを制御する。
【０１０５】
具体的には、制御部３４は、吹き出し口５１Ａから吹出される風が右側に向かい、吹き出し口５１Ｂから吹出される風が右側に向かい、吹き出し口５１Ｃから吹出される風が左側に向かい、吹き出し口５１Ｄから吹出される風が左側に向かうように、空気状態変更装置５０Ａを制御する。制御部３４は、吹き出し口５２Ａから吹出される風が左側に向かい、吹き出し口５２Ｂから吹出される風が正面に向かい、吹き出し口５２Ｃから吹出される風が右側に向かい、吹き出し口５２Ｄから吹出される風が左側に向かうように、空気状態変更装置５０Ｂを制御する。
【０１０６】
上述の通り、実施の形態３に係る空気状態制御装置３０は、居室空間Ｓにおける複数の制御地点のうちの一部について空気の状態の制御が決定される際に用いられる優先度を用いて、総合影響度を補正する。空気状態制御装置３０は、補正された総合影響度をもとにする制御用影響度を用いて複数の空気状態変更装置を制御する。これにより、空気状態制御装置３０は、複数の制御地点のうちの一部について空気の状態を優先的に調整することができる。
【０１０７】
なお、空気状態制御装置３０の制御部３４は、複数の制御地点のうちの算出部３３によって算出された制御用影響度が相対的に小さい制御地点の制御用影響度が大きくなるように、複数の空気状態変更装置を定期的に制御してもよい。これにより、居室空間Ｓの全体における快適性が損なわれることを更に抑制することができる。
【０１０８】
図３１は、実施の形態１、実施の形態２及び実施の形態３に係る空気状態制御装置３０が有する通信部３１、算出部３３及び制御部３４の一部又は全部の機能がプロセッサ９１によって実現される場合のプロセッサ９１を示す図である。つまり、通信部３１、算出部３３及び制御部３４の一部又は全部の機能は、メモリ９２に格納されるプログラムを実行するプロセッサ９１によって実現されてもよい。プロセッサ９１は、ＣＰＵ（Central  Processing  Unit）、処理装置、演算装置、マイクロプロセッサ、又はＤＳＰ（Digital  Signal  Processor）である。図３１には、メモリ９２も示されている。
【０１０９】
通信部３１、算出部３３及び制御部３４の一部又は全部の機能がプロセッサ９１によって実現される場合、当該一部又は全部の機能は、プロセッサ９１と、ソフトウェア、ファームウェア、又は、ソフトウェア及びファームウェアとの組み合わせにより実現される。ソフトウェア又はファームウェアは、プログラムとして記述され、メモリ９２に格納される。プロセッサ９１は、メモリ９２に記憶されたプログラムを読み出して実行することにより、通信部３１、算出部３３及び制御部３４の一部又は全部の機能を実現する。
【０１１０】
通信部３１、算出部３３及び制御部３４の一部又は全部の機能がプロセッサ９１によって実現される場合、空気状態制御装置３０は、通信部３１、算出部３３及び制御部３４の一部又は全部によって実行されるステップが結果的に実行されることになるプログラムを格納するためのメモリ９２を有する。メモリ９２に格納されるプログラムは、通信部３１、算出部３３及び制御部３４の一部又は全部が実行する手順又は方法をコンピュータに実行させるものであるともいえる。
【０１１１】
メモリ９２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【０１１２】
図３２は、実施の形態１、実施の形態２及び実施の形態３に係る空気状態制御装置３０が有する通信部３１、算出部３３及び制御部３４の一部又は全部が処理回路９３によって実現される場合の処理回路９３を示す図である。つまり、通信部３１、算出部３３及び制御部３４の一部又は全部は、処理回路９３によって実現されてもよい。
【０１１３】
処理回路９３は、専用のハードウェアである。処理回路９３は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【０１１４】
通信部３１、算出部３３及び制御部３４が有する複数の機能について、当該複数の機能の一部がソフトウェア又はファームウェアで実現され、当該複数の機能の残部が専用のハードウェアで実現されてもよい。このように、通信部３１、算出部３３及び制御部３４が有する複数の機能は、ハードウェア、ソフトウェア、ファームウェア、又はこれらの組み合わせによって実現することができる。
【０１１５】
実施の形態１から実施の形態３までの受付装置１０が有する通信部１１及び受付部１２の少なくとも一部の機能は、メモリに格納されるプログラムを実行するプロセッサによって実現されてもよい。当該メモリは、通信部１１及び受付部１２によって実行される少なくとも一部のステップが結果的に実行されることになるプログラムを格納するためのメモリである。通信部１１及び受付部１２の少なくとも一部の機能は、処理回路によって実現されてもよい。当該処理回路は、処理回路９３と同様の処理回路である。
【０１１６】
実施の形態１から実施の形態３までの画像取得器２０が有する画像取得部２１及び通信部２２の少なくとも一部の機能は、メモリに格納されるプログラムを実行するプロセッサによって実現されてもよい。当該メモリは、画像取得部２１及び通信部２２によって実行されるステップの少なくとも一部が結果的に実行されることになるプログラムを格納するためのメモリである。画像取得部２１及び通信部２２の少なくとも一部の機能は、処理回路によって実現されてもよい。当該処理回路は、処理回路９３と同様の処理回路である。
【０１１７】
実施の形態１から実施の形態３までの環境検出器４０が有する環境検出部４１及び通信部４２の少なくとも一部の機能は、メモリに格納されるプログラムを実行するプロセッサによって実現されてもよい。当該メモリは、環境検出部４１及び通信部４２によって実行されるステップの少なくとも一部が結果的に実行されることになるプログラムを格納するためのメモリである。環境検出部４１及び通信部４２の少なくとも一部の機能は、処理回路によって実現されてもよい。当該処理回路は、処理回路９３と同様の処理回路である。
【０１１８】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【０１１９】
１  空気状態制御システム、１０  受付装置、１１，２２，３１，４２  通信部、１２  受付部、１３  表示部、２０  画像取得器、２１  画像取得部、３０  空気状態制御装置、３２  記憶部、３３  算出部、３４  制御部、４０  環境検出器、４１  環境検出部、５０Ａ，５０Ｂ，５０Ｃ  空気状態変更装置、５１Ａ，５１Ｂ，５１Ｃ，５１Ｄ，５２Ａ，５２Ｂ，５２Ｃ，５２Ｄ  吹き出し口、６１  第１環境検出器、６２  第２環境検出器、９１  プロセッサ、９２  メモリ、９３  処理回路、３２１  制御対象機器データ、３２２  環境検出器データ、３２３  機器マップデータ、３２４  優先度データ、３３１  対象判定部、３３２  位置判定部、３３３  演算部、３２１１，３２２１  識別情報、３２１２  運転状態情報、３２１３  影響度情報、３２１４  制御領域情報、３２２２  センサ値、３２３１  フロアレイアウト、３２３２  位置情報、３２３３  環境検出器位置情報、３２４１  優先度情報。
【図１】
2020178912.tif 000003
【図２】
2020178912.tif 000004
【図３】
2020178912.tif 000005
【図４】
2020178912.tif 000006
【図５】
2020178912.tif 000007
【図６】
2020178912.tif 000008
【図７】
2020178912.tif 000009
【図８】
2020178912.tif 000010
【図９】
2020178912.tif 000011
【図１０】
2020178912.tif 000012
【図１１】
2020178912.tif 000013
【図１２】
2020178912.tif 000014
【図１３】
2020178912.tif 000015
【図１４】
2020178912.tif 000016
【図１５】
2020178912.tif 000017
【図１６】
2020178912.tif 000018
【図１７】
2020178912.tif 000019
【図１８】
2020178912.tif 000020
【図１９】
2020178912.tif 000021
【図２０】
2020178912.tif 000022
【図２１】
2020178912.tif 000023
【図２２】
2020178912.tif 000024
【図２３】
2020178912.tif 000025
【図２４】
2020178912.tif 000026
【図２５】
2020178912.tif 000027
【図２６】
2020178912.tif 000028
【図２７】
2020178912.tif 000029
【図２８】
2020178912.tif 000030
【図２９】
2020178912.tif 000031
【図３０】
2020178912.tif 000032
【図３１】
2020178912.tif 000033
【図３２】
2020178912.tif 000034
【国際調査報告】
2020178912.tif 000035
2020178912.tif 000036
2020178912.tif 000037
2020178912.tif 000038